(57)【要約】【課題】シャッターカーテンの片下がりや端部シートないしガイドレールの損傷を可及的に防止する。【解決手段】シャッターカーテン３の骨材５は、骨材本体６と、骨材本体６の左右両端部位に突設した軸部７と、これらの間に形成された円錐台状の外形を備えた接触緩和部８と、からなり、接触緩和部８は、基端側の大径部８０と、先端側の小径部８１と、大径部８０及び小径部８１の中心を通る中心線から大径部８０及び小径部８１の周縁に向かって立ち上がり、かつ、大径部８０から小径部８１へ向かって延出する複数の立ち上がり片８２と、を備えており、複数の立ち上がり片８２の上縁８２０によって接触緩和部８の側部が形成される。ガイドレール溝部４０の開口側部位４０Ａは、溝部開口８００から溝幅を狭めるように底部側に延出する室内外の傾斜壁４２Ａ、４２Ｂによって形成されており、接触緩和部８の外形は開口側部位４０Ａの横断面形状に対応している。【選択図】図５
2010174492.tif 000002
【特許請求の範囲】
【請求項１】
上下方向に間隔を存して配設した複数の骨材を備えたシート部からなるシャッターカーテンと、前記シャッターカーテンの両端部を受け入れて案内するガイドレールとを有するシートシャッターにおいて、
前記複数の骨材のうち１本以上の骨材は、大径の骨材本体と、前記骨材本体の左右両端部位に突設した小径の軸部と、前記骨材本体の端部と前記軸部の基端部との間に形成された円錐台状の外形を備えた接触緩和部と、からなり、
前記接触緩和部は、基端側の大径部と、先端側の小径部と、前記大径部及び前記小径部の中心を通る中心線から前記大径部及び前記小径部の周縁に向かって立ち上がり、かつ、前記大径部から前記小径部へ向かって延出する複数の立ち上がり片と、を備えており、前記複数の立ち上がり片の上縁によって当該円錐台状の接触緩和部の側部が形成されており、
前記シート部の幅方向の両端部は、前記接触緩和部及び前記軸部に沿ってガイドレールの溝内に延出しており、
前記ガイドレールの溝部の開口側部位は、溝部開口から溝幅を狭めるように底部側に延出する室内側傾斜壁、室外側傾斜壁によって形成されており、前記接触緩和部の円錐台状の外形は前記溝部の開口側部位の横断面形状に対応しており、前記接触緩和部は前記溝部の開口側部位に進入可能である、
シートシャッター。
【請求項２】
前記接触緩和部の基端側の大径部の直径は、前記骨材本体の端部の直径と一致していると共に、前記溝部開口の溝幅よりも大きい、請求項１に記載のシートシャッター。
【発明の詳細な説明】
【技術分野】
【０００１】
本発明は、シートシャッターに係り、詳しくは、シャッターカーテンに骨材を使用しているシートシャッターに関するものである。
【背景技術】
【０００２】
シャッターカーテンに骨材を使用しているシートシャッターでは、骨材の長さ方向両端部をガイドレールの溝部に直接挿入したり、あるいは、骨材の長さ方向両端部に突設した軸部をガイドレールの溝部内に挿入したりする（特許文献１参照）ことで、シャッターカーテンの幅方向両端部をガイドレールの溝部で案内しながら開閉を行なっている。
【０００３】
骨材の長さ方向端部をガイドレールの溝部に直接挿入した場合には、ガイドレールと骨材との摩擦が大きくなって、風圧を受けたような場合に片下がりが起きるおそれがある。
【０００４】
骨材の長さ方向端部に突設した軸部をガイドレールの溝部に挿入するものにおいても、シャッターカーテンが片寄った場合や風圧を受けた場合等には、図８に示すように、骨材本体６と軸部７との外径差の影響で、骨材本体６の端部がガイドレール４の見込壁４１Ａ、４１Ｂに当接することによる摩擦で片下がりが起きるおそれがある。また、骨材本体６の端部が見込壁４１Ａ、４１Ｂに当接することで、外側に露出する見込壁４１Ａ、４１Ｂが損傷するおそれもある。さらには、シャッターカーテンの開閉を繰り返すことで、骨材６と軸部７との外径差の影響で、骨材６の端部から軸部７にかけて延出する端部シート３００が経年劣化したり損傷したりするおそれもある。
【先行技術文献】
【特許文献】
【０００５】
【特許文献１】特開２００３−１４８０６５号公報
【発明の概要】
【発明が解決しようとする課題】
【０００６】
本発明は、シャッターカーテンに骨材を使用しているシートシャッターにおいて、骨材端部の構造に特徴を持たせることで、シャッターカーテンの片下がりや端部シートないしガイドレールの損傷を可及的に防止することを目的とするものである。
【課題を解決するための手段】
【０００７】
本発明は、上下方向に間隔を存して配設した複数の骨材を備えたシート部からなるシャッターカーテンと、前記シャッターカーテンの両端部を受け入れて案内するガイドレールとを有するシートシャッターにおいて、
前記複数の骨材のうち１本以上の骨材は、大径の骨材本体と、前記骨材本体の左右両端部位に突設した小径の軸部と、前記骨材本体の端部と前記軸部の基端部との間に形成された円錐台状の外形を備えた接触緩和部と、からなり、
前記接触緩和部は、基端側の大径部と、先端側の小径部と、前記大径部及び前記小径部の中心を通る中心線から前記大径部及び前記小径部の周縁に向かって立ち上がり、かつ、前記大径部から前記小径部へ向かって延出する複数の立ち上がり片と、を備えており、前記複数の立ち上がり片の上縁によって当該円錐台状の接触緩和部の側部が形成されており、
前記シート部の幅方向の両端部は、前記接触緩和部及び前記軸部に沿ってガイドレールの溝内に延出しており、
前記ガイドレールの溝部の開口側部位は、溝部開口から溝幅を狭めるように底部側に延出する室内側傾斜壁、室外側傾斜壁によって形成されており、前記接触緩和部の円錐台状の外形は前記溝部の開口側部位の横断面形状に対応しており、前記接触緩和部は前記溝部の開口側部位に進入可能である、
シートシャッター、である。
【０００８】
１つの態様では、前記接触緩和部の基端側の大径部の直径は、前記骨材本体の端部の直径と一致していると共に、前記溝部開口の溝幅よりも大きい。
こうすることで、骨材本体の端部がガイドレールの見込壁に接触したり、シート部の端部に無理な力が作用したりすることがない。
１つの態様では、前記複数の立ち上がり片は、前記中心線から放射状に延びる複数の立ち上がり片である。
【発明の効果】
【０００９】
シャッターカーテンが片寄りした場合や、シャッターカーテンが風圧を受けた場合には、骨材本体の端部と軸部との間に設けた円錐台形状の接触緩和部がガイドレールの溝部の開口側部位に進入するので、従来例のように、骨材本体の端部が室内側見込壁に接触するようなことがない。しかも、接触緩和部の側部は周面でなく、個々の立ち上がり片の上縁により形成されるため、面同士が接触する場合に比べて、傾斜壁との接触面積も小さく、摩擦を小さくすることができる。したがって、シャッターカーテンの片下がりを可及的に防止することができる。
【００１０】
本発明では、接触緩和部の当接部（側部）は面ではなく、立ち上がり片の上縁から形成されるので、耐風圧以上の荷重が作用した場合には立ち上がり片が変形して、骨材やガイドレールに作用する力を逃がすことができる。また、シャッターカーテンが片寄りした状態で開閉操作されたような場合にも、接触緩和部の立ち上がり片が変形することで、開閉を円滑に行うことができる。
【００１１】
シート部の端部について見ると、骨材本体と軸部との外径により生じ得る段差は、基端側から先端側へ漸次縮径する接触緩和部の側部によって解消されるので、シート部の端部は、骨材本体から軸部にかけて、接触緩和部の立ち上がり片の上縁に沿って緩やかに案内されており、シート部の端部の負荷が軽減され、シャッターカーテンの開閉を繰り返すことで、シート部の端部が経年劣化したり損傷したりすることを可及的に防止する。接触緩和部が開口部側部位に進入した時、接触緩和部の外形は室内側傾斜壁、室外側傾斜壁により形成される溝部の開口側部位の形状に対応しているので、両者が角度を持って接するような場合（接触時に局所的に力が作用する）に比べて、両者の接触による衝撃は小さく、シート部の端部に無理な力が作用することを可及的に防止している。
【００１２】
骨材の端部は、接触緩和部が室内側傾斜壁、室外側傾斜壁（ガイドレールの溝部内）に接触するので、従来例のように、骨材本体端部がガイドレールの見込壁（外側に露出する）に当接して見込壁を損傷するようなことがない。さらに、接触緩和部の外形は室内側傾斜壁、室外側傾斜壁により形成される溝部の開口側部位の形状に対応しているので、室内側傾斜壁、室外側傾斜壁の傾斜面と接触緩和部の側部とが接触する場合における衝撃は小さく、室内側傾斜壁、室外側傾斜壁に傷が付き難い。
【００１３】
接触緩和部の円錐台状の外形は、溝部の開口側部位の横断面形状に対応しているので、骨材本体の端部と軸部との間に設けた円錐台形状の接触緩和部がガイドレールの溝部の開口側部位に入り込んで、骨材本体の端部がガイドレールの溝部に近づき、また、接触緩和部の側部と室内側傾斜壁、室外側傾斜壁との間に隙間が生じ難くいので、シャッターカーテンの開閉時に骨材の端部とガイドレールとの間に指を挟む可能性が低減される。また、接触緩和部の側部と室内側傾斜壁、室外側傾斜壁との間に隙間が生じ難くいことによって、開口部全閉時における気密性が良好である。
【図面の簡単な説明】
【００１４】
【図１】シートシャッターの概略正面図および概略側面図である。
【図２】骨材の一部省略全体図である。
【図３】骨材本体の端部の軸部ユニットを示す。
【図４】ガイドレールの横断面図を示す。
【図５】本発明の端部構造において、シャッターカーテンが片寄った場合を示す図である。
【図６】本発明の端部構造において、シャッターカーテンが風圧を受けた場合を示す図である。
【図７】他の形態に係る接触緩和部を備えた軸部ユニットを示す。
【図８】従来の端部構造を示し、（Ａ）はシャッターカーテンが片寄った場合、（Ｂ）はシャッターカーテンが風圧を受けた場合を示す。
【発明を実施するための形態】
【００１５】
図１はシートシャッターの概略正面図および概略側面図であり、建物開口部の上方部位にはシャッターケース１が設けてあり、シャッターケース１内には巻取りシャフト２が内装されており、巻取りシャフト２にはシャッターカーテン３の上端が連結されており、巻取りシャフト２の回転によって、シャッターカーテン３が巻取りシャフト２に巻装され、あるいは、巻取りシャフト２から繰り出されて降下するようになっている。開口部の左右にはシャッターカーテンの左右両端部を受け入れ案内するガイドレール４が立設されている。
【００１６】
シャッターカーテン３は、シート部３０とシート部３０の上下方向に間隔を存して開口部幅方向に水平状に延設した複数の骨材５とから構成されており、シャッターカーテン３の最下位には、袋状部に骨材を内装してなる座板が設けてある。シャッターカーテン３を構成するシート部３０の裏面には開口幅方向に延出する袋状部３１が複数形成されており、袋状部３１内に骨材５を収納するようになっている。シート部３０の幅方向の両端は、ガイドレール４の溝部４０内に延出する端部シート３００となっている。本明細書において、端部シート３００は、骨材本体６の端部よりも外側に延出する部分を意味し、端部シート３００は、実際にガイドレール４の溝部４０内に位置する部位と、ガイドレール４の溝部４０の外側に位置する部位を含むものとする。
【００１７】
図２は、骨材５の一部省略全体図であり、骨材５は、開口幅方向に延出する骨材本体６と、骨材本体６の長さ方向の左右両端に設けた軸部７と、からなり、軸部７はガイドレール４の溝部４０内に延出する。骨材本体６は大きな断面寸法を備えた大径部、軸部７は小さな断面寸法を備えた小径部であり、骨材本体６の両端部と各軸部７の基端部との間には、軸部７の先端に向かって漸次縮径する接触緩和部８が形成されている。必ずしも全ての骨材５を、接触緩和部８を備えた骨材５から形成する必要はない。１つの態様では、下側の２本の骨材５の端部を特許文献１に開示された離脱可能端部とし、残りの骨材５を接触緩和部８を備えた骨材５から形成する。
【００１８】
図３に示すように、接触緩和部８は、全体として円錐台状の外形を備えており、基端側の大径部８０の径は骨材本体６の径と同じであり、先端側の小径部８１の径は軸部７の径よりもやや大きい径に形成されている。通常の円錐台の下底、上底にそれぞれ相当する大径部８０、小径部８１の中心は、軸部７の中心を通る軸線Ｃ１上に位置している。接触緩和部８の大径部８０と小径部８１の中心を通る直線を接触緩和部８の中心線と呼ぶ。すなわち、軸部７の基端側は、軸部７の軸線Ｃ１が円錐台状の接触緩和部８の中心線に一致するようにして延出しており、本願の図において、軸部７の基端側の延出部（骨材本体６の両端部から突出していない部位）を軸部７０で表し、軸部７は、接触緩和部８の先端側の小径部８１から突出している部位を表す。
【００１９】
接触緩和部８は、接触緩和部８の中心線（軸部７０）から円錐台状の外縁（通常の円錐台の側面に対応するいわば仮想側面）に向かって、より具体的には、中心線から大径部８０及び小径部８１の周縁に向かって、立ち上がり状に延出する複数の立ち上がり片８２を備えており、かつ各立ち上がり片８２は接触緩和部８の基端側の大径部８０から先端側の小径部８１に向かって延出している。ここでは、立ち上がり片８２を、中心線から離間するいわば高さ方向と、大径部８０から小径部８１に向かういわば長さ方向と、の２つの延出方向から規定している。
【００２０】
各立ち上がり片８２の上縁８２０が接触緩和部８の傾斜状の側部を形成しており、したがって、複数の立ち上がり片８２の上縁８２０によって接触緩和部８の円錐台状の外形が形成されている。接触緩和部８は、１つの態様では樹脂製である。大径部８０及び小径部８１の中心を通る中心線から大径部８０及び小径部８１の周縁に向かって立ち上がり、かつ、大径部８０から小径部８１へ向かって延出し、さらに、その上縁によって接触緩和部８の円錐台状の外形が形成されるような立ち上がり片８２には、幾つもの具体的な形態があり得ることが当業者に理解される。
【００２１】
図２、図３、図５、図６、図７（Ｃ）に示す形態では、立ち上がり片８２は、接触緩和部８の中心線（軸部７０）から放射状に、すなわち、中心線（軸部７０）から径方向に垂直に延出しており、かつ各立ち上がり片８２は接触緩和部８の基端側の大径部８０から先端側の小径部８１に向かって延出しており、各立ち上がり片８２の上縁８２０は、基端側の大径部８０から先端側の小径部８１に向って下向きに傾斜する直線状の傾斜縁となっている。立ち上がり片８２の上縁８２０の先端側、すなわち小径部８１の周縁は曲面状に形成されており、ガイドレール４の壁面やシート３００が接触した場合にこれらに損傷を与えることを防止している。
【００２２】
図７（Ａ）に他の形態が示してあり、図７（Ａ）では、立ち上がり片８２Ａは、接触緩和部８の中心線（軸部７０）から軸部７０の接線方向に延出しており、かつ各立ち上がり片８２Ａは接触緩和部８の基端側の大径部８０から先端側の小径部８１に向かって延出しており、各立ち上がり片８２Ａの上縁８２０Ａは、基端側の大径部８０から先端側の小径部８１に向って下向きに傾斜する直線状の傾斜縁となっている。また、シャッターカーテン３が片寄りした状態で開閉操作したような場合には、図７（A）に示す接触緩和部８の立ち上がり片８２Aは、図７（C）に示す形状の立ち上がり片８２に比べて、変形し易く、接触時の力が軽減される。
【００２３】
さらに、図７（Ｂ）では、立ち上がり片８２Ｂは、接触緩和部８の中心線（軸部７０）から軸部７０の接線方向に立ち上がると共に、高さ方向に湾曲状に延出しており、かつ各立ち上がり片８２Ｂは接触緩和部８の基端側の大径部８０から先端側の小径部８１に向かって延出しており、各立ち上がり片８２Ｂの上端縁８２０Ｂは、基端側の大径部８０から先端側の小径部８１に向って下向きに傾斜する湾曲状の傾斜縁となっている。
【００２４】
実施形態では、図３に示すように、軸部７及び接触緩和部８は、軸部ユニット７´として構成されている。軸部ユニット７´は、軸部７と、ベアリング９０を介して軸部７の基端側部位（軸部７０）を回転可能に支持する支持部９と、支持部９の先端側に形成された接触緩和部８と、からなり、軸部（７、７０）において接触緩和部８の先端側から突出している部分が軸部７としてガイドレール４の溝内に受け入れられる。支持部９の外径は、骨材本体６の中空状の端部の内径よりも僅かに小さい寸法を備えており、軸部ユニット７´は支持部９を骨材本体６の端部の中空部に嵌め込むことで骨材本体６に装着され、軸部７は骨材本体６に対してベアリング９０によって回転自在である。ガイドレール４の溝部４０に延出する軸部７を回転自在とすることで、シートシャッターの動作可能風圧を向上させることができる。
【００２５】
図４に示すように、ガイドレール４は、開口部閉鎖時にそれぞれ室内側、室外側に位置する室内側見込壁４１Ａ、室外側見込壁４１Ｂを備え、室内側見込壁４１Ａと室外側見込壁４１Ｂとの間には溝部４０の開口４００が形成されている。溝部４０の開口４００から溝部４０の底部に向かって溝部４０の幅が漸次小さくなるように、室内側見込壁４１Ａ、室外側見込壁４１Ｂからそれぞれ室内側傾斜壁４２Ａ、室外側傾斜壁４２Ｂが、これらの間に形成される溝幅が底部に向かって漸次小さくなるように傾斜状に延出しており、室内側傾斜壁４２Ａと室外側傾斜壁４２Ｂの底部側部位に溝部４０の幅狭部４０１が形成されている。幅狭部４０１の幅は、「軸部７の直径＋端部シート３００の厚み」よりも少し大きい寸法となっており、幅狭部４０１からさらに溝部４０の底部に向かうにしたがって、溝部４０の幅が漸次大きくなるように傾斜壁４３Ａ、４３Ｂが形成されている。傾斜壁４２Ａと傾斜壁４３Ａ、傾斜壁４２Ｂと傾斜壁４３Ｂとのそれぞれの遷移部位４４Ａ、４４Ｂは対向しており、対向する遷移部位間が幅狭部４０１となっている。遷移部位４４Ａ、４４Ｂは溝部４０内に受け入れた軸部７（端部シート３００には軸部７に位置して切り欠きが形成されている）を円滑に案内するように曲面状に形成されている。
【００２６】
ガイドレール４の溝部４０の開口側部位４０Ａは、溝部４０の開口４００と、開口４００から溝幅を狭めるように底部側に延出する室内側傾斜壁４２Ａ、室外側傾斜壁４２Ｂと、室内側傾斜壁４２Ａ、室外側傾斜壁４２Ｂの底部側の幅狭部４０１と、から形成されており、接触緩和部８の円錐台状の外形は、溝部４０の開口側部位４０Ａの横断面形状に対応している。より具体的には、接触緩和部８の基端側の大径部８０の直径は開口４００の溝幅よりも大きく、接触緩和部８の先端側の小径部８１の直径は幅狭部４０１の溝幅よりも大きく、軸線Ｃ１に対する接触緩和部８の円錐台状の側部の傾斜角度と、ガイドレール４の溝部４０の中心線Ｃ２に対する室内側傾斜壁４２Ａ、室外側傾斜壁４２Ｂの傾斜角度は略同じとなっている。
【００２７】
したがって、図５に示すように、シャッターカーテン３の端部が一方に片寄った場合には、骨材本体６の端部と軸部７との間に設けた円錐台形状の接触緩和部８がガイドレール４の溝部４０の開口側部位４０Ａに入り込むので、図８（Ａ）の従来例のように、骨材本体６の端部が室内側見込壁４１Ａ、室外側見込壁４１Ｂに接触するようなことがない。接触緩和部８が開口部側部位４０Ａに進入した時、接触緩和部８の側部の傾斜角度は、室内側傾斜壁４２Ａ、室外側傾斜壁４２Ｂの傾斜角度に略一致しているため、室内側傾斜壁４２Ａ、室外側傾斜壁４２Ｂの傾斜面と接触緩和部８の側部とは略平行しており、両者が角度を持って接するような場合（接触時に局所的に力が作用する）に比べて、両者の接触による衝撃は小さく、端部シート３００に無理な力が作用することを可及的に防止している。しかも、接触緩和部８の側部は周面でなく、個々の立ち上がり片８２の上縁８２０により形成されるため、面同士が接触する場合に比べて、室内側傾斜壁４２Ａ、室外側傾斜壁４２Ｂとの接触面積も小さく、摩擦を小さくすることができる。
【００２８】
図６に示すように、シャッターカーテン３に風圧が作用してシャッターカーテン３の端部が平面視において傾斜した場合には、骨材本体６の端部と軸部７との間に設けた円錐台形状の接触緩和部８の先端側がガイドレール４の溝部４０の開口側部位４０Ａに少し入り込み、接触緩和部８の外縁部がガイドレール４の室内側傾斜壁４２Ａの開口側部位に接触するため、図８（Ｂ）の従来例のように、骨材本体６の端部が室内側見込壁４１Ａに接触するようなことがない。接触緩和部８が開口側部位４０Ａに進入した時、接触緩和部８の側部の傾斜角度は、シャッターカーテン３端部が傾斜した分だけ、室内側傾斜壁４２Ａ、室外側傾斜壁４２Ｂの傾斜角度からズレるが、室内側傾斜壁４２Ａの傾斜面と接触緩和部８の側部とは概ね同じ方向に延出しており、両者が角度を持って接するような場合に比べて、両者の接触による摩擦は小さい。しかも、接触緩和部８の外縁部は周面でなく、立ち上がり片８２の上縁８２０により形成されるため、面同士が接触する場合に比べて、室内側傾斜壁４２Ａ、室外側傾斜壁４２Ｂとの接触面積も小さく、摩擦を小さくすることができる。さらに、樹脂から形成されている立ち上がり片８２は、耐風圧以上の荷重が作用した場合には変形することができるので、接触緩和部８の立ち上がり片８２の変形により、骨材５やガイドレール４に作用する力を逃がすことができる。
【００２９】
端部シート３００について見ると、骨材本体６と軸部７との外径により生じ得る段差は、基端側から先端側へ漸次縮径する接触緩和部８の側部によって解消されるので、端部シート３００は、骨材本体６から軸部７にかけて、接触緩和部８の立ち上がり片８２の上縁８２０に沿って緩やかに案内されており、端部シート３００にかかる負荷が軽減され、シャッターカーテンの開閉を繰り返すことで、骨材６の端部から軸部７にかけて延出する端部シート３００が経年劣化したり損傷したりすることを可及的に防止する。
【００３０】
上述のように、骨材５の端部は、接触緩和部８が室内側傾斜壁４２Ａ、室外側傾斜壁４２Ｂ（ガイドレール４の溝部４０内）に接触するので、図８に示す従来例のように、骨材本体６の端部がガイドレール４の見込壁（外側に露出する）に当接してガイドレール４の見込壁４１Ａを損傷するようなことがない。さらに、接触緩和部８の側部の傾斜角度は、室内側傾斜壁４２Ａ、室外側傾斜壁４２Ｂの傾斜角度に略一致しているため、室内側傾斜壁４２Ａ、室外側傾斜壁４２Ｂの傾斜面と接触緩和部８の側部とが接触する場合における衝撃は小さく、室内側傾斜壁４２Ａ、室外側傾斜壁４２Ｂに傷が付き難い。
【００３１】
接触緩和部８の円錐台状の外形は、溝部４０の開口側部位４０Ａの横断面形状に対応しているので、骨材本体６の端部と軸部７との間に設けた円錐台形状の接触緩和部８がガイドレール４の溝部４０の開口側部位４０Ａに入り込んで、骨材本体６の端部がガイドレール４の溝部４０に近づき、また、接触緩和部８の側部と室内側傾斜壁４２Ａ、室外側傾斜壁４２Ｂとの間に隙間が生じ難くいので、シャッターカーテンの開閉時に骨材５の端部とガイドレール４との間に指を挟む可能性が低減される。また、接触緩和部８の側部と室内側傾斜壁４２Ａ、室外側傾斜壁４２Ｂとの間に隙間が生じ難くいことによって、開口部全閉時における気密性が良好である。
【産業上の利用可能性】
【００３２】
本発明は、骨材を備えたシートシャッターに用いることができる。
【符号の説明】
【００３３】
４  ガイドレール
４０  溝部
４０Ａ  開口側部位
４２Ａ  室内側傾斜壁
４２Ｂ  室外側傾斜壁
４００  溝部開口
５  骨材
６  骨材本体
７  軸部
７０  軸部（基端側部位）
８  接触緩和部
８０  大径部
８１  小径部
８２  立ち上がり片
８２０  上縁
【図１】
2010174492.tif 000003
【図２】
2010174492.tif 000004
【図３】
2010174492.tif 000005
【図４】
2010174492.tif 000006
【図５】
2010174492.tif 000007
【図６】
2010174492.tif 000008
【図７】
2010174492.tif 000009
【図８】
2010174492.tif 000010